(57)【要約】【課題】生産性を低下させることなく、原稿が見開きの場合であっても操作者が所望する出力サイズで、読み取った画像を出力する画像処理装置及びその制御方法を提供する。【解決手段】本画像処理装置は、原稿サイズ検知が自動でない場合、又は、ＡＤＦ読みの場合は、操作者に指定された原稿サイズ又はＡＤＦによって検出された原稿サイズに従って原稿を読み取り、読み取った画像を出力する。一方、本画像処理装置は、プラテン読みであって、原稿サイズ検知を自動で行う場合は、読み取った画像を解析し、見開き原稿であるか否かを判定する。ここで、見開き原稿であった場合は、操作者に対して原稿サイズの入力を促し、入力された原稿サイズで、読み取った画像を出力する。【選択図】図１
2010124081.tif 000002
【特許請求の範囲】
【請求項１】
読取対象となる原稿を載置するための原稿台を備え、操作者が前記原稿台に原稿を載置して画像の読み取りを開始する画像処理装置であって、
前記原稿台に載置された原稿のサイズである原稿サイズを検出するサイズ検出手段と、
前記原稿台に載置された原稿を読み取る読取手段と、
前記読取手段により読み取られた原稿の画像データを解析する解析手段と、
前記解析手段による解析結果が予め定められた条件を満たす場合に、読み取られた画像データを出力する際の出力サイズを操作者に選択させるための選択入力手段と、
前記解析結果が前記予め定められた条件を満たす場合には前記選択入力手段を介して選択された前記出力サイズに従って前記画像データを出力し、前記解析結果が前記予め定められた条件を満たさない場合には前記サイズ検出手段によって検出された前記原稿サイズに従って前記画像データを出力する出力手段と
を備えることを特徴とする画像処理装置。
【請求項２】
原稿の読み取りを開始する前に操作者によって前記原稿サイズが指定される指定手段をさらに備え、
前記解析手段は、
操作者によって前記原稿サイズが指定されていない場合に、読み取られた原稿の画像データを解析し、
前記出力手段は、
操作者によって前記原稿サイズが指定されている場合は、指定された前記原稿サイズに従って前記画像データを出力することを特徴とする請求項１に記載の画像処理装置。
【請求項３】
前記予め定められた条件は、前記原稿台に載置された原稿が見開き原稿の綴じ部を表す画像が、読み取られた画像データに含まれることを条件とし、
前記読取手段は、ラインセンサを用いてラインごとに原稿を読み取り、
前記解析手段は、前記ラインセンサによって読み取られた複数のラインイメージの中に、輝度値が所定の暗部レベルで一定となるラインイメージが連続して所定数含まれる場合に読み取られた画像データに綴じ部が含まれると判断することを特徴とする請求項１又は２に記載の画像処理装置。
【請求項４】
前記選択入力手段は、出力サイズを操作者に選択させるための選択画面であって、前記選択画面は、
前記出力手段の出力仕様として、前記出力サイズに加えて、前記見開き原稿の左半面のみを１枚の記録材に出力するか、前記見開き原稿の右半面のみを１枚の記録材に出力するか、前記見開き原稿の左半面及び右半面をそれぞれ別の記録材に出力するか、又は、前記見開き原稿の全面を１枚の記録材に出力するかを操作者に選択させるための表示を含むことを特徴とする請求項３に記載の画像処理装置。
【請求項５】
前記画像処理装置は、操作者が前記原稿台に原稿を載置して原稿の読み取りを開始する第１モードと、原稿を前記原稿台に自動搬送する自動原稿搬送装置から原稿を搬送して画像の読取を開始する第２モードを有し、
前記画像データを出力するための記録材を給送する給送手段をさらに備え、
前記給送手段は、
操作者によって前記原稿サイズが指定された場合には、前記原稿サイズが指定されたタイミングで、指定された前記原稿サイズの記録材を給送し、
前記第２モードの場合には、前記サイズ検出手段によって原稿サイズが検出されたタイミングで、検出された前記原稿サイズの記録材を給送し、
前記第１モードであって前記解析結果が前記予め定められた条件を満たさない場合には、前記解析手段の解析が終了したタイミングで、検出された前記原稿サイズの記録材を給送し、
前記第１モードであって前記解析結果が前記予め定められた条件を満たす場合には、前記選択入力手段を介して前記出力サイズが選択されたタイミングで、選択された前記出力サイズの記録材を給送することを特徴とする請求項２乃至４の何れか１項に記載の画像処理装置。
【請求項６】
前記出力手段は、前記解析手段によって解析された綴じ部を基準として読み取られた画像データを右半面及び左半面の画像データに分割して出力することを特徴とする請求項３又は４に記載の画像処理装置。
【請求項７】
前記出力手段は、前記画像データを記録材に画像形成するか、又は、前記画像処理装置にネットワークを介して接続された外部装置に前記画像データを送信することを特徴とする請求項１に記載の画像処理装置。
【請求項８】
読取対象となる原稿を載置するための原稿台を備え、操作者が前記原稿台に原稿を載置して画像の読み取りを開始する画像処理装置の制御方法であって、
前記原稿台に載置された原稿のサイズである原稿サイズを検出するサイズ検出ステップと、
前記原稿台に載置された原稿を読み取る読取ステップと、
読み取られた原稿の画像データを解析する解析ステップと、
前記解析ステップによる解析結果が予め定められた条件を満たす場合に、読み取られた画像データを出力する際の出力サイズを操作者に選択させるための選択入力ステップと、
前記解析結果が前記予め定められた条件を満たす場合には前記選択入力ステップを介して選択された前記出力サイズに従って前記画像データを出力し、前記解析結果が前記予め定められた条件を満たさない場合には前記サイズ検出ステップにおいて検出された前記原稿サイズに従って前記画像データを出力する出力ステップと
を含むことを特徴とする画像処理装置の制御方法。
【発明の詳細な説明】
【技術分野】
【０００１】
本発明は、画像読取部を備える画像処理装置に関し、特に、画像読取部に載置された原稿のサイズを判別し、判別した原稿サイズに適した用紙に画像を出力する画像処理装置に関するものである。
【背景技術】
【０００２】
原稿を照明し、当該原稿からの反射光を受光して画像を読み取る画像読取部を備える画像処理装置が知られている。まず、画像処理装置で原稿を読み取り、用紙に出力する動作について説明する。原稿の読み取りが開始されると、画像読取部は、まず原稿のサイズを検出する。原稿サイズが検出されると、画像読取部は、ラインイメージ出力が均一になるように画像信号を補正するシェーディング補正を行う。シェーディング補正が終了すると、画像読取部は、原稿の画像を読み取る。
【０００３】
以上説明した動作によって、読み取られた画像データは、プリンタやホストコンピュータに送出され、出力される。また、画像データの送出以前に原稿サイズ情報が送出される。例えば、プリンタにデータを送出する場合は、原稿サイズと変倍率に対して最適な用紙が選択され、読み取った画像がコピーされる。
【０００４】
また、画像読取部には、近年、オートドキュメントフィーダ（ＡＤＦ）が標準で装着されることも多くなってきている。ＡＤＦは、大量の原稿を自動的に連続交換する機能を有しており、自動で原稿を１枚ずつ取り替え、コピー時間を短縮することができる。ＡＤＦが装着された画像読取部においては、原稿がＡＤＦに載置されるため、原稿サイズ検出はＡＤＦ側で行われる。したがって、読み取り動作が開始すると、画像読取部は、原稿サイズ検出をすることなく、シェーディング補正を実行する。
【０００５】
このように、画像処理装置では、読み取る原稿のサイズを検出し、検出したサイズに応じた用紙等に画像を出力している。一方、特許文献１には、ＦＡＸなどで画像を読み取って送信する際に、送信する原稿サイズを操作者に選択させる技術が提案されている。特許文献１に記載の技術は、自動で原稿のサイズを検出しない装置に対して有効である。また、特許文献２には、読み取った原稿中央部分、又は長手方向におけるパターンを検出して、見開き原稿の左右のページ毎に画像形成処理を実行したり、１枚原稿か見開き原稿かを判別する技術が提案されている。
【特許文献１】特開２００１−１６９０４９号公報
【特許文献２】特開平０６−１１９２号公報
【発明の開示】
【発明が解決しようとする課題】
【０００６】
しかしながら、上記従来技術には以下に記載する問題がある。原稿サイズ検出機能が具備されている画像処理装置は、単独の定型サイズ（Ａ４やＢ５）の原稿が載置された場合は正しく原稿サイズを検出できる。しかし、見開き原稿、例えばＡ４サイズのノートなどを見開きで載置した場合、原稿サイズ検出機能は載置された原稿を倍のサイズであるＡ３サイズと検出してしまう。つまり、操作者がノートの右面のみを等倍、即ちＡ４サイズで出力しようとしているにも関わらず、画像処理装置は、右面と左面を繋げたＡ３サイズで出力してしまう。このような場合、操作者は、出力されたＡ３サイズの印刷結果を確認することにより、自分が設定を間違ったことに気がつき、原稿サイズをマニュアルで入力して、再度コピーを実行する必要がある。したがって、作業効率も悪く、無駄な出力によるコストパフォーマンスの低下も招いていた。
【０００７】
このような問題を解決するため、特許文献１では、原稿サイズを操作者に選択させている。しかし、自動原稿サイズ検出機能を有する画像処理装置の場合は、読み取った原稿サイズが正しく認識されているにも関わらず、サイズ入力を実施する必要があり、操作者にとって煩わしい操作となり、さらには生産性を低下させてしまう。また、特許文献２では、見開き原稿の左右のページ毎に画像形成処理したり、１枚原稿か見開き原稿かを判別している。しかし、例えば地図帳などの見開き状態でひとつの画像が成り立つ原稿であった場合に操作者が読取画像全面を１枚の用紙にコピーしたい場合であっても半分のサイズで２枚の用紙に印刷される懸念があるため問題の本質的な解決には至っていない。
【０００８】
本発明は、上述の問題に鑑みて成されたものであり、生産性を低下させることなく、原稿が見開きの場合であっても操作者が所望する出力サイズで、読み取った画像を出力する画像処理装置及びその制御方法を提供することを目的とする。
【課題を解決するための手段】
【０００９】
本発明は、例えば、読取対象となる原稿を載置するための原稿台を備え、操作者が前記原稿台に原稿を載置して画像の読み取りを開始する画像処理装置として実現できる。画像処理装置は、前記原稿台に載置された原稿のサイズである原稿サイズを検出するサイズ検出手段と、前記原稿台に載置された原稿を読み取る読取手段と、前記読取手段により読み取られた原稿の画像データを解析する解析手段と、前記解析手段による解析結果が予め定められた条件を満たす場合に、読み取られた画像データを出力する際の出力サイズを操作者に選択させるための選択入力手段と、前記解析結果が前記予め定められた条件を満たす場合には前記選択入力手段を介して選択された前記出力サイズに従って前記画像データを出力し、前記解析結果が前記予め定められた条件を満たさない場合には前記サイズ検出手段によって検出された前記原稿サイズに従って前記画像データを出力する出力手段とを備えることを特徴とする。
【００１０】
また、本発明は、例えば、読取対象となる原稿を載置するための原稿台を備え、操作者が前記原稿台に原稿を載置して画像の読み取りを開始する画像処理装置の制御方法として実現できる。制御方法は、前記原稿台に載置された原稿のサイズである原稿サイズを検出するサイズ検出ステップと、前記原稿台に載置された原稿を読み取る読取ステップと、読み取られた原稿の画像データを解析する解析ステップと、前記解析ステップによる解析結果が予め定められた条件を満たす場合に、読み取られた画像データを出力する際の出力サイズを操作者に選択させるための選択入力ステップと、前記解析結果が前記予め定められた条件を満たす場合には前記選択入力ステップを介して選択された前記出力サイズに従って前記画像データを出力し、前記解析結果が前記予め定められた条件を満たさない場合には前記サイズ検出ステップにおいて検出された前記原稿サイズに従って前記画像データを出力する出力ステップとを含むことを特徴とする。
【発明の効果】
【００１１】
本発明は、例えば、生産性を低下させることなく、原稿が見開きの場合であっても操作者が所望する出力サイズで、読み取った画像を出力する画像処理装置及びその制御方法を提供できる。
【発明を実施するための最良の形態】
【００１２】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１３】
＜第１の実施形態＞
＜画像読取部の構成及び動作＞
以下では、添付の図面を参照して、第１の実施形態について説明する。まず、図２乃至図７を参照して、画像処理装置に備えられる画像読取部について説明する。図２は、第１の実施形態に係る画像処理装置に備えられた画像読取部の外略構成を示す図である。
【００１４】
図２に示すように、原稿台ガラス２０３に置かれた読取対象となる原稿２０４の画像は、原稿照明ランプ２０１によって照明され、第１ミラー２０５、第２ミラー２０６、第３ミラー２０７、レンズ２０８を介してラインセンサであるＣＣＤ２０９上に結像され、ラインごとに読み取られる。さらに、原稿照明ランプ２０１及び第１ミラー２０５は矢印方向に移動され、順次ラインイメージが読み取られる。その際、第２ミラー２０６及び第３ミラー２０７も矢印方向に移動し、原稿面からＣＣＤ２０９までの距離（光路長）が一定となるように駆動部によって駆動される。
【００１５】
画像読取部の動作シーケンスについて説明する。オペレータによって、原稿台ガラス２０３上に読取対象となる原稿２０４が載置され、スタートボタン等により、読取コマンドが入力されると、画像読取部は、まず原稿サイズを検出する。図３は、第１の実施形態に係る原稿台ガラス２０３のサイズ検出センサを示す図である。原稿サイズ検出は、図３に示すように４個のサイズ検出センサ３０１、３０２、３０３、３０４の検出結果によって、原稿のサイズを判断する。
【００１６】
図４は、第１の実施形態に係る原稿サイズの検出結果を示す図である。図４に示す白丸（○）は各センサ３０１〜３０４において原稿ありと検出されたことを示し、黒丸（●）は原稿なしと検出されたことを表す。図４に示すように、各センサ３０１〜３０４の検出結果の組み合わせから原稿のサイズが判断される。したがって、図４の表に記載していない検出結果の組み合わせは、存在しない原稿サイズと判断され、オペレータに原稿サイズの入力を促す。
【００１７】
原稿サイズが検出されると、画像読取部は、各部材を図２に示す位置に配置し、シェーディング補正板２１１の読み取りを行いシェーディング補正を実施する。シェーディング補正は、ラインセンサであるＣＣＤ２０９の画素毎の感度のバラツキや、原稿照明ランプ２０１の照度ムラ、レンズ２０８の周辺光量落ち等を補正し、画像読取部のラインイメージ出力が均一になるように画像信号を補正するものである。シェーディング補正が終了すると、画像読取部は、矢印Ａの方向に読取部２００を加速前進させて原稿２０４の画像を読み取る。
【００１８】
以上説明した動作によって、読み取られたラインイメージ（画像データ）は、不図示のイメージプロセッサ回路に入力され、その後、プリンタやホストコンピュータに送出され、出力される。また、画像データの送出以前に原稿サイズ情報を対象の装置（例えば、プリンタ）に送出する場合は、原稿サイズと変倍率に対して最適な用紙（記録材）が選択され、読み取った画像の形成が行われる。
【００１９】
＜ＡＤＦを有する画像読取部の動作＞
次に、図５乃至図７を参照して、原稿を原稿台ガラス２０３に自動搬送する自動原稿搬送装置（ＡＤＦ）を有する画像読取部について説明する。ＡＤＦは、大量の原稿を自動的に連続交換する機能を有しており、原稿を１枚ずつ取り替える手間を省くことができ、生産性を向上することができる。
【００２０】
図５は、第１の実施形態に係るＡＤＦを備える画像読取部の構成を示す図である。なお、図２と同様の構成については、同一の番号を付し、説明を省略する。
【００２１】
ＡＤＦ７０が装着された画像読取部において読み取りを実施する場合には、読取部２００がホームポジションに位置しているとき、各部材は図５に示す配置となる。また、原稿がＡＤＦ７０に載置されるため、原稿サイズ検出はＡＤＦ側で行われる。図６は、第１の実施形態に係るＡＤＦ７０を上から見た部材構成を示す図である。図６では原稿が載置されていない状態が示されている。
【００２２】
ＡＤＦ７０には矢印方向に移動可能な原稿ガイド８１が設けてある。ＡＤＦ７０は、原稿ガイド８１の位置によって原稿の幅方向の長さを検出する。また、ＡＤＦ７０には反射型センサ８２が配置されている。ＡＤＦ７０は、この反射型センサ８２を原稿が覆っているかどうかを併せて検出し、原稿のサイズを判定する。また反射型センサ８３によってＡＤＦ７０に原稿が載置されているか否かを検出する。
【００２３】
したがって、読み取り動作が開始されると、画像読取部は、原稿サイズを検出することなく、シェーディング補正を実行する。シェーディング補正が終了すると、画像読取部は、図７の部材配置となるように各部材を移動させ、読取部２００の位置を固定する。図７は、第１の実施形態に係るＡＤＦを備える画像読取部で原稿を読み取る際の状態を示す図である。図７に示すように、読取位置にはウインドウ２１２が設けてある。ＡＤＦ読み取りの場合は、複数枚数の原稿が給紙トレイ７１に載置されている。読み取りが開始されると、原稿は１枚ずつ給紙ローラ７２、７３によって給紙され、矢印方向に回転する搬送ローラ７５によってガイド７４、７７、７６と搬送ローラ７５のスリットを通り、排紙トレイ７８に排出される。搬送ローラ７５の回転スピードは、読み取り倍率によって決定される。搬送ローラ７５によって搬送される原稿は、ウインドウ２１２を介して読取部２００によって画像が読み取られる。
【００２４】
＜見開き原稿の読み取り＞
以下では、図８乃至図１２を参照して、原稿台ガラス２０３上に載置された見開き原稿の原稿サイズを確定するまでの動作について説明する。図８は、図３に示す画像読取部の下部を正面から見たときの主要部材の配置を示す図である。
【００２５】
８００は、画像読取部を示す。８０１は画像読取部８００の原稿台ガラス２０３上に載置された見開き原稿であり、ここではＡ４サイズのノートである。ノート８０１には、中央部に綴じ部８０４がある。ノート８０１はＡ４サイズであるため、見開き状態で原稿台ガラス２０３上に載置されると、サイズはＡ３サイズになる。したがって、サイズ検出センサ３０１、３０２、３０３、３０４の全てで原稿ありと検出され、画像読取部８００は、載置された原稿をＡ３サイズであると検出する。
【００２６】
しかし、操作者がノート８０１の左半面８０２の領域をＡ４サイズで出力することを望んでいる場合、画像読取部８００が判断した原稿サイズは誤っていることになり、このままコピーが開始されると、操作者の意図しない出力結果を招いてしまう。そこで、本画像処理装置は、Ａ３領域の原稿画像を読み取った際に、中央部に綴じ部８０４があるか否かを検出し、綴じ部８０４が検出された場合は、コピー開始ボタンが押された後、検出内容に応じた表示を行い、操作者に出力サイズの入力を促す。これにより、読み取った画像を、操作者が所望するサイズで画像形成できる。
【００２７】
＜綴じ部の検出＞
本実施形態によれば、原稿中に綴じ部８０４があるか否かを検出するために、読取画像を解析する。図９は、見開き原稿を読み取った際の読取画像９００を示す図である。図８と比較して、右半面８０３と左半面８０２が入れ替わっているのは、図８が原稿を原稿台ガラス２０３上に伏せた状態で右又は左を示しているためである。
【００２８】
図９に示すように、読取画像９００の右半面８０３及び左半面８０２には、ノート８０１に書き込まれた文字列や絵などが読み取られている。さらに、読取画像９００の中央には、製本の際の綴じ部８０４を表す画像が読み取られている。近年のデジタルコピーにおいては、画像読取部によって読み取られた画像を一旦ハードディスクドライブのような記憶装置に記録するため、画像処理装置内でこれらの画像を展開し、画像に含まれる特徴を検出することは容易である。
【００２９】
図１０は、百科事典のような厚手の見開き原稿８５１を読み取る様子を示す図である。図１０に示すように、厚手の見開き原稿の場合は綴じ部８５４が開ききれずに、綴じ部８５４を原稿台ガラス２０３に密着させることができない。図１１は、厚手の見開き原稿を読み取った際の読取画像１１００を示す図である。図１１に示すように、図１０に示すような状態で原稿を読み取ると、綴じ部８５４を明確に読み取ることができない。しかし、綴じ部８５４近辺の読み取り部には、グラデーション、すなわち、綴じ部８５４を表す画像が読み取られる。
【００３０】
ここで、読取画像９００と読取画像１１００を比較すると、読取画像１１００の綴じ部８５４は、グラデーションであるが、綴じ部８５４の中心においては、ノート８０１の読取画像９００と同様にラインイメージがほぼ全て黒となっている。したがって、画像処理装置は、このような条件を満たすと、綴じ部が含まれると判断し、見開き原稿であると判別する。この場合、綴じ部８５４を認識し、形成されるグラデーションの最暗部が含まれる垂線を綴じ部と判断すればよい。
【００３１】
＜見開き原稿の場合のコピー動作＞
見開き原稿であることが検出された場合に操作者によってコピーボタンが押下されると、本実施形態に係る画像処理装置は、コピー処理を開始する前に、例えば、図１２に示す選択画面１２００を操作パネル上に表示し、出力サイズを含む出力仕様の選択を操作者に促す。図１２は、第１の実施形態に係る選択画面１２００の一例を示す図である。
【００３２】
選択画面１２００は、画像処理装置のタッチパネル液晶である操作部（表示部を含む）９０１に表示される。図１２に示すように、選択画面１２００には、出力仕様を選択するための選択アイコン９０２、９０３、９０４、９０５が含まれる。選択アイコン９０２〜９０４は、Ａ４サイズの出力仕様を示す。具体的には、選択アイコン９０２が選択されると、見開き原稿の左半面８０２がＡ４の用紙に出力される。選択アイコン９０３が選択されると、見開き原稿の右半面８０３がＡ４の用紙に出力される。選択アイコン９０４が選択されると、左半面８０２及び右半面８０３がそれぞれが２枚のＡ４の用紙に連続出力される。一方、選択アイコン９０５は、Ａ３サイズの出力仕様を示す。選択アイコン９０５が選択されると、見開き原稿の全面がＡ３の用紙に出力される。各選択アイコン９０２〜９０５は感圧式のタッチパネルになっており、直接アイコンをタッチすることで所望の出力仕様を選択できる。
【００３３】
図１２に示したようなインターフェースを設けることにより、操作者は自動原稿サイズ機能を働かせたまま、見開き原稿のコピーを所望通りに実施することができる。また、見開き原稿の右半面８０３のみを出力したい場合であっても、原稿を１８０度回転させて原稿台に載置する手間を省くことができる。
【００３４】
＜制御構成＞
次に、図１５を参照して、本実施形態に係る画像処理装置の制御構成について説明する。図１５は、第１の実施形態に係る画像処理装置の制御構成を示すブロック図である。
【００３５】
１５０１はプリンタ部を制御するＣＰＵである。ＣＰＵ１５０１は、システムバス１５１０により、ＲＯＭ１５０２、ＲＡＭ１５０３、ページメモリ１５０４、レーザドライバ１５０５、パネルドライバ１５０６、及びＩ／Ｆ部１５０７と接続されている。ＲＯＭ１５０２には、ＣＰＵ１５０１の制御プログラムが格納されている。ＲＡＭ１５０３は、データの一時格納を行う。ページメモリ１５０４には、画像読取部で読み取られた画像が一時的に格納される。レーザドライバ１５０５には画像書き込みのためのレーザチップ１５０８が接続されている。レーザチップ１５０８において不図示の感光ドラム上に潜像が書き込まれることによって、プリンタ部における画像形成が行われる。パネルドライバ１５０６には、操作パネル１５０９が接続されている。Ｉ／Ｆ部１５０７は、後述するＩ／Ｆ部１５１６を介して、原稿から読み取られた画像データを受信する。
【００３６】
１５１１は、画像読取装置を制御するＣＰＵである。ＣＰＵ１５１１は、システムバス１５１０とローカルなシステムバス１５１８により、ＲＯＭ１５１２、ＲＡＭ１５１３、ＡＳＩＣ１５１４、サイズ検出センサ１５１５、及びＩ／Ｆ部１５１６と接続されている。ＲＯＭ１５１２には、ＣＰＵ１５１１の制御プログラムが格納されている。ＲＡＭ１５１３は、データの一時格納を行う。ＡＳＩＣ１５１４は、ＣＣＤ１５１７と接続され、ＣＣＤ１５１７で読み取られた画像データの画像処理を行う。サイズ検出センサ１５１５は、原稿台ガラス２０３又はＡＤＦ７０に載置された原稿のサイズを検出するためのセンサである。したがって、図１５において、サイズ検出センサ１５１５は画像読取部に配置された複数のセンサとＡＤＦに配置された複数のセンサ全てを含んでいる。Ｉ／Ｆ部１５１６は、ＡＳＩＣ１５１４から出力される画像データをＩ／Ｆ部１５０７に出力する。ＣＰＵ１５１１の入力ポートには、サイズ検出センサ１５１５が接続されている。
【００３７】
＜制御フロー＞
次に、図１を参照して、本実施形態に係るコピー処理の制御フローについて説明する。図１は、第１の実施形態に係るコピー処理の処理手順を示すフローチャートである。以下で説明する処理は、ＣＰＵ１５０１、１５１１によって統括的に制御される。なお、ここでは、コピー処理を一例に本発明について説明するが、本発明はコピー処理のみに適用されるわけではない。例えば、原稿を読み取り、ネットワークを介して接続された外部装置に送信するような処理（例えば、ＦＡＸ送信処理）にも適用可能である。
【００３８】
ステップＳ１０１において、ＣＰＵ１５０１は、原稿サイズ検出が自動になっているか否かを判定する。ここで、自動モードに設定されていないと判定した場合はステップＳ１０７に遷移し、自動モードに設定されていると判定した場合はステップＳ１０２に遷移する。原稿サイズ検出は操作パネル１５０９により自動又は手動を選択できるようになっており、通常は自動に設定されている。設定が変更されると、操作パネル１５０９からの入力をパネルドライバ１５０６、及びシステムバス１５１０を介してＣＰＵ１５０１に通知される。
【００３９】
定型サイズでない原稿をコピーするとき、又は原稿の一部分のみをコピーするときは、操作者が操作パネル１５０９により所望の原稿サイズを指定し、画像処理装置は、指定された原稿サイズで読み取りを開始する。操作者から原稿サイズが指定された場合であっても、サイズ検出センサ１５１５はＣＰＵ１５１１に検出結果を入力する。ＣＰＵ１５１１は、サイズ検出センサ１５１５が検出した原稿サイズによって原稿台ガラス２０３に載置された原稿サイズを判断し、シリアル通信によってＣＰＵ１５０１に原稿のサイズを通知する。しかし、ステップＳ１０１で原稿サイズ検知が自動でないと判定した場合、ＣＰＵ１５０１はこの通知を無視するように制御する。通常の原稿は、ほとんどが定型サイズである。したがって、ＣＰＵ１５０１は、操作者により手動モードに設定されたとしても、予め定められた時間が経過すると自動モードに設定を変更する。この場合、ＣＰＵ１５１１からＣＰＵ１５０１に通知される原稿サイズに従った印刷用紙サイズが選択される。
【００４０】
自動モードが設定されている場合、ステップＳ１０２において、ＣＰＵ１５１１は、原稿台ガラス２０３上に原稿が載置されたプラテン読み（第１モード）かＡＤＦに原稿が載置されたＡＤＦ読み（第２モード）かを判定する。具体的には、ＣＰＵ１５１１は、画像読取部に設けられたサイズ検出センサ１５１５が原稿を検出しているか、又は、ＡＤＦに設けられたサイズ検出センサ１５１５が原稿を検出しているかを確認し、プラテン読みかＡＤＦ読みかを判定する。ＡＤＦ読みの場合はステップＳ１０７に遷移し、プラテン読みの場合はステップＳ１０３に遷移する。装置の構成上、両方のセンサで原稿が検出された場合はＡＤＦ読みを優先させる。また、プラテン上にも原稿がある場合は、操作パネル１５０９上に『原稿ガラス台上の原稿を取り除いてください』等のメッセージを表示してもよい。
【００４１】
操作者によって操作パネル１５０９上のコピーボタンが押下されると、ステップＳ１０３において、ＣＰＵ１５０１は、ＣＰＵ１５１１にコマンドを送出し、ＣＰＵ１５１１によって原稿サイズの検出を実施させる。さらに、ＣＰＵ１５１１は、原稿サイズの検出と同時に、検出された原稿サイズ領域における原稿の読み取りを開始する。
【００４２】
画像が読み取られると、ステップＳ１０４において、ＣＰＵ１５０１は、読み取った画像データの画像解析を行う。具体的には、ＣＣＤ１５１７から出力される読取画像はＡＳＩＣ１５１４によって画像処理がなされ、Ｉ／Ｆ部１５１６より送出される。送出された画像データは、Ｉ／Ｆ部１５０７により受信され、システムバス１５１０を介して、ページメモリ１５０４に一旦格納される。その後、ＣＰＵ１５０１は、ページメモリ１５０４に格納された画像データをラインイメージごとに解析する。しかし、ここでは、見開き原稿であるか否かを判定するための綴じ部を検出するのみでよいため、ＣＰＵ１５０１は、読取画像における中央部付近のラインイメージを読み出して解析する。例えば、６００ｄｐｉの画像解像度であれば、中央部の約１０ｍｍの領域に相当するライン数分（例えば、２４０ライン）のみを読み出す。
【００４３】
図１７は、読取画像の一例を示す図である。読取画像１７００には、図形部１７０２、文字部１７０３、ハーフトーン画像部１７０４で構成されたページのライン１７０６が含まれる。図１６Ａは、ライン１７０６のプロファイルを示す図である。図１６Ａにおいて、縦軸は２５５階調で表した輝度値を示し、横軸は画素アドレスを示す。また、輝度値が大きいほど白色に近づく。図形部１７０２は１６０１に対応する。文字部１７０３は１６０２に対応する。ハーフトーン画像部１７０４は１６０３に対応する。
【００４４】
一方、図１７に示す綴じ部１７０５上のライン１７０７は原稿と綴じ部材の領域であるため、領域境界が黒く読み取られる。図１６Ｂは、ライン１７０７のプロファイルを示す図である。縦軸は２５５階調で表した輝度値を示し、横軸は画素アドレスを示す。また、輝度値が大きいほど白色に近づく。図１６Ｂに示すように、綴じ部１７０５を含むライン１７０７のプロファイルは、輝度値が所定の低い値で一定となる。したがって、ライン１７０７の読取画像が図１６Ａに示すようなプロファイルであるか、又は、図１６Ｂに示すようなプロファイルであるかを検出することによって、原稿が見開き原稿であるか否かを判定できる。
【００４５】
ここでは、読取画像の全ラインに相当する２４０ライン中、約０．５ｍｍに相当する５０ラインが連続で図１６Ｂに示すようなプロファイルである場合に、見開き原稿であると判定する。つまり、本画像処理装置は、ＣＣＤ１５１７によって読み取られた複数のラインイメージの中に、輝度値が所定の暗部レベルで一定となるラインイメージが連続して所定数含まれる場合に読み取られた画像データに綴じ部が含まれると判断する。ステップＳ１０５において、ＣＰＵ１５０１は、ステップＳ１０４の画像解析結果から、綴じ部が存在するか否かを判定する。ここで、綴じ部が存在する場合は見開き原稿と判断しステップＳ１０６に遷移する。一方、綴じ部が存在しない場合は見開き原稿でないと判断し、ステップＳ１０９に遷移する。
【００４６】
ステップＳ１０６において、ＣＰＵ１５０１は、選択入力手段として機能し、読み取られた画像データを出力する際の出力サイズを操作者に選択させる。ステップＳ１０３で検出された原稿サイズがＡ３である場合、ＣＰＵ１５０１は、例えば、図１２に示す選択画面１２００を操作パネル１５０９に表示する。続いて、ステップＳ１０８において、ＣＰＵ１５０１は、操作パネル１５０９を介して操作者（ユーザ）による入力が発生したか否かを判定する。この判定は、ユーザ入力が発生するまで定期的に繰り返される。ユーザ入力が発生すると、ステップＳ１０９に遷移する。
【００４７】
一方、ステップＳ１０１で原稿サイズ検知が手動モードであると判定した場合、又は、ステップＳ１０２でＡＤＦ読みであると判定した場合には、ステップＳ１０７において、ＣＰＵ１５１１は、ＣＣＤ１５１７を用いて、原稿の読み取りを開始させる。ここで、ＣＰＵ１５１１は、操作者によって指定された原稿サイズ、又はＡＤＦに設けられたサイズ検出センサ１５１５によって検出された原稿サイズに従って、原稿の読み取りを開始する。原稿の読み取りが終了すると、ステップＳ１０９に遷移する。
【００４８】
次に、ステップＳ１０９において、ＣＰＵ１５０１は、プリンタ部に設けられた複数の用紙カセットより、選択されたサイズの用紙が格納された用紙カセットから印刷用紙を給送する。続いて、ステップＳ１１０において、ＣＰＵ１５０１は、ページメモリ１５０４から格納された画像データをシステムバス１５１０を介してレーザドライバ１５０５に送出し、レーザチップ１５０８により感光ドラムに潜像を形成し、印刷用紙上に画像を形成する。ステップＳ１０９及びＳ１１０においては、ステップＳ１０１乃至Ｓ１０８で設定された原稿サイズの用紙及び当該原稿サイズに相当する画像データが使用される。
【００４９】
上述のフローチャートでは、ステップＳ１０９のタイミングで印刷用紙の給送を開始している。しかし、異なる動作手順ごとに最適なタイミングで印刷用紙を給送することでさらに効率良くコピー処理を実行することができる。例えば、ＣＰＵ１５０１は、操作者によって原稿サイズが指定された場合、即ち、ステップＳ１０１で否の場合には、操作者によって原稿サイズが指定されたタイミングで、指定された原稿サイズの印刷用紙を給送してもよい。また、ＣＰＵ１５０１は、ＡＤＦ読みの場合、即ち、ステップＳ１０２でＡＤＦ読みと判定した場合には、サイズ検出センサ１５１５によって原稿サイズが検出されたタイミングで、検出された原稿サイズの印刷用紙を給送してもよい。また、ＣＰＵ１５０１は、プラテン読みであって読み取られた画像データに綴じ部が含まれない場合には、当該画像データの解析が終了したタイミングで、サイズ検出センサ１５１５によって検出された原稿サイズの印刷用紙を給送してもよい。さらに、ＣＰＵ１５０１は、プラテン読みであって読み取られた画像データに綴じ部が含まれる場合には、選択画面１２００を介して出力サイズが選択されたタイミングで、選択された出力サイズの印刷用紙を給送してもよい。
【００５０】
以上説明したように、本実施形態に係る画像処理装置は、原稿サイズ検知が自動でない場合、又は、ＡＤＦ読みの場合は、操作者に指定された原稿サイズ又はＡＤＦによって検出された原稿サイズに従って原稿を読み取り、読み取った画像を出力する。一方、本画像処理装置は、プラテン読みであって、原稿サイズ検知を自動で行う場合は、読み取った画像を解析し、見開き原稿であるか否かを判定する。ここで、見開き原稿であった場合は、操作者に対して出力サイズの入力を促し、入力された原稿サイズで、読み取った画像を出力する。これにより、原稿が見開き原稿の場合であっても、操作者が所望する出力サイズで画像データを出力することが可能となり、
また、原稿サイズ検知が自動でない場合、又は、ＡＤＦ読みの場合は、検出された原稿サイズが正しいと判断されたタイミングで、印刷用紙を搬送してもよい。これにより、原稿サイズ検知が自動でない場合、又は、ＡＤＦ読みの場合は、印字効率に影響を与えない。一方、プラテン読みの場合は、操作者のサイズ入力まで印刷用紙の搬送を行わないため印字効率は低下するが、操作者が原稿の入れ替え等を行うため印字効率に大きな影響を与えない。
【００５１】
このように、本画像処理装置は、見開き原稿をコピーする場合、自動原稿サイズ検出機能のメリットを生かしつつ、操作者の所望の出力結果を得ることができ、操作者の意図に沿わない無駄な出力を防止することができる。
【００５２】
＜第２の実施形態＞
次に、図１３乃至図１４を参照して、第２の実施形態について説明する。本実施形態では、原稿台ガラス２０３上に載置された見開き原稿の綴じ部が中心からずれた場合の制御について説明する。図１３は、見開き原稿を読み取る際の綴じ部の位置の一例を示す図である。図１４は、見開き原稿の右半面を出力した一例を示す図である。
【００５３】
図１３に示すように左端を基準に原稿１２０１を原稿台ガラス２０３に載置した場合であっても、原稿の湾曲によって綴じ部がＡ３サイズの中心１２０２からずれる場合がある。したがって、操作者が図１２に示す選択アイコン９０３を選択し右半面のコピーを所望した場合、出力結果１４０１を期待したにも関わらず、原稿範囲１３０１が欠落した出力結果１４０２となる場合がある。
【００５４】
出力結果１４０１に示す１３０２は原稿の湾曲のために原稿幅が短くなったが故の原稿画像に存在しない像であるが、原稿中の情報は全てコピーされている。一方、綴じ部が中心１２０２からずれた場合、出力結果１４０２のように原稿中の情報が欠落し、原稿画像に存在しない像１３０３の幅が出力結果１４０１よりも大きくなってしまう。
【００５５】
そこで、本実施形態に係る画像処理装置は、グラデーション８０５の最暗部を含む垂線（綴じ部）を検出し、当該垂線を基準にして読取画像を出力する原稿画像範囲を決定する。即ち、図１２に示した選択アイコン９０２が押下された場合は、検出された垂線を基準にして垂線より左側のＡ４領域を出力画像として分割し、選択アイコン９０３が押下された場合は垂線より右側のＡ４領域を出力画像として分割する。選択アイコン９０４が押下された場合は上記の２枚の画像を連続出力するように制御する。これらの制御は、図１に示すステップＳ１１０において実行される。なお、画像処理装置の構成等は、第１の実施形態と同様であるため説明を省略する。
【００５６】
以上説明したように、本実施形態に係る画像処理装置は、見開き原稿の読取画像において綴じ部に相当する基準を推定し、推定した基準から右半面及び左半面の画像データを設定する。これにより、中心がずれた状態で原稿台ガラス２０３に載置された見開き原稿を読み取る場合であっても、情報を欠落させることなく右半面又は左半面のみを出力することができる。
【図面の簡単な説明】
【００５７】
【図１】第１の実施形態に係るコピー処理の処理手順を示すフローチャートである。
【図２】第１の実施形態に係る画像処理装置に備えられた画像読取部の外略構成を示す図である。
【図３】第１の実施形態に係る原稿台ガラス２０３のサイズ検出センサを示す図である。
【図４】第１の実施形態に係る原稿サイズの検出結果を示す図である。
【図５】第１の実施形態に係るＡＤＦを備える画像読取部の構成を示す図である。
【図６】第１の実施形態に係るＡＤＦ７０を上から見た部材構成を示す図である。
【図７】第１の実施形態に係るＡＤＦを備える画像読取部で原稿を読み取る際の状態を示す図である。
【図８】図３に示す画像読取部の下部を正面から見たときの主要部材の配置を示す図である。
【図９】見開き原稿を読み取った際の読取画像９００を示す図である。
【図１０】厚手の見開き原稿８５１を読み取る様子を示す図である。
【図１１】厚手の見開き原稿を読み取った際の読取画像１１００を示す図である。
【図１２】第１の実施形態に係る選択画面１２００の一例を示す図である。
【図１３】見開き原稿を読み取る際の綴じ部の位置の一例を示す図である。
【図１４】見開き原稿の右半面を出力した一例を示す図である。
【図１５】第１の実施形態に係る画像処理装置の制御構成を示すブロック図である。
【図１６Ａ】ライン１７０６のプロファイルを示す図である。
【図１６Ｂ】ライン１７０７のプロファイルを示す図である。
【図１７】読取画像の一例を示す図である。
【符号の説明】
【００５８】
２０３：原稿ガラス台
２０４：原稿
３０１〜３０４：サイズ検出センサ
７０：ＡＤＦ
８０１：見開き原稿
８０４：綴じ部
８５１：見開き原稿
８５４：綴じ部
９０１：操作部
９０２〜９０５：選択アイコン
【図１】
2010124081.tif 000003
【図２】
2010124081.tif 000004
【図３】
2010124081.tif 000005
【図４】
2010124081.tif 000006
【図５】
2010124081.tif 000007
【図６】
2010124081.tif 000008
【図７】
2010124081.tif 000009
【図８】
2010124081.tif 000010
【図９】
2010124081.tif 000011
【図１０】
2010124081.tif 000012
【図１２】
2010124081.tif 000013
【図１３】
2010124081.tif 000014
【図１５】
2010124081.tif 000015
【図１６Ａ】
2010124081.tif 000016
【図１６Ｂ】
2010124081.tif 000017
【図１７】
2010124081.tif 000018
【図１１】
2010124081.tif 000019
【図１４】
2010124081.tif 000020